(57)【要約】【課題】ドア閉鎖時にシート着座者の手元等の必要な部分のみをスポット照明することができると共に、ドア開放時に車室内側を広角照明することができるドアトリム照明装置を提供する。【解決手段】本照明装置１は、ドアトリム２に光源５を設けてなるドアトリム照明装置であって、前記光源は、前記ドアトリムのシート９の座面部９ａと背もたれ部９ｂとの境界Ｓから２２０ｍｍ前方の位置と前記ドアトリムの後端の位置との間に配置され、且つ、前記ドアトリムの上端の位置と前記ドアトリムの前記境界Ｓから１６５ｍｍ上方の位置との間に配置されている。【選択図】図５
2010241274.tif 000002
【特許請求の範囲】
【請求項１】
ドアトリムに光源を設けてなるドアトリム照明装置であって、
前記光源は、前記ドアトリムのシートの座面部と背もたれ部との境界（Ｓ）から２２０ｍｍ前方の位置と前記ドアトリムの後端の位置との間に配置され、且つ、前記ドアトリムの上端の位置と前記ドアトリムの前記境界（Ｓ）から１６５ｍｍ上方の位置との間に配置されていることを特徴とするドアトリム照明装置。
【請求項２】
前記光源は、前記ドアトリムの前記境界（Ｓ）から１７０ｍｍ後方の位置より前方側に配置されている請求項１記載のドアトリム照明装置。
【請求項３】
前記光源は、前記ドアトリムの前記境界（Ｓ）から３０５ｍｍ上方の位置より上方側に配置されている請求項１又は２に記載のドアトリム照明装置。
【請求項４】
ドア閉鎖時の前記光源の照射狙い位置（Ｐ１）は、その前後方向の位置が前記境界（Ｓ）から前方へ１１０〜６００ｍｍの範囲内にあり、その上下方向の位置が前記境界（Ｓ）から上方へ１６５〜５１５ｍｍの範囲内にあり、その左右方向の位置がシート座面の幅方向の中心（Ｃ）から左右方向に±１５０ｍｍの範囲内にあり、
ドア閉鎖時の光源の照射狙いエリア（Ａ１）は、前記光源の照射狙い位置（Ｐ１）を中心とする半径１００〜２００ｍｍの円状エリアである請求項１乃至３のいずれか一項に記載のドアトリム照明装置。
【請求項５】
ドア開放時の前記光源の照射狙い位置（Ｐ２）は、その前後方向の位置が前記境界（Ｓ）から前後方向に±２７５ｍｍの範囲内にあり、その上下方向の位置が前記境界（Ｓ）から上下方向に±３００ｍｍの範囲内にあり、その左右方向の位置が前記シートの側端面から左右方向に±３３０ｍｍの範囲内にあり、
ドア開放時の前記光源の照射狙いエリア（Ａ２）は、前記光源の照射狙い位置（Ｐ２）を中心とする半径２００〜４００ｍｍの円状エリアである請求項１乃至４のいずれか一項に記載のドアトリム照明装置。
【請求項６】
ドア閉鎖時の前記光源の照射狙いエリア（Ａ１）は、ドア開放時の前記光源の照射狙いエリア（Ａ２）より狭い請求項１乃至５のいずれか一項に記載のドアトリム照明装置。
【請求項７】
ドアの開閉操作に連動して前記光源からの光を絞る光絞り手段を備える請求項１乃至６のいずれか一項に記載のドアトリム照明装置。
【請求項８】
ドアの開閉操作に連動して前記ドアトリムに対する前記光源の照射方向を変更する照射方向変更手段を備える請求項１乃至７のいずれか一項に記載のドアトリム照明装置。
【請求項９】
前記ドアトリムの本体には、前記光源を設置するためのハウジング部が一体形成されている請求項１乃至８のいずれか一項に記載のドアトリム照明装置。
【発明の詳細な説明】
【技術分野】
【０００１】
本発明は、ドアトリム照明装置に関し、さらに詳しくは、ドア閉鎖時にシート着座者の手元等の必要な部分のみをスポット照明することができると共に、ドア開放時に車室内側を広角照明することができるドアトリム照明装置を提供することを目的とする。
【背景技術】
【０００２】
従来より、車両用照明装置として様々な形態が一般に知られている（例えば、特許文献１及び２参照）。上記特許文献１には、車両天井に光源を設けてなり、車室内側を広角照明する照明装置が開示されている。また、上記特許文献２には、ドアトリムに光源を設けてなり、ドア開放時に、車室内側を広角照明すると共にドアの車室外側を広角照明する照明装置が開示されている。
【０００３】
しかし、上記特許文献１では、車両天井の光源により車室内側を広角照明するようにしているので、車室内全体が明るくなってしまうため、車室内のプライバシーが損なわれるとともに、夜間走行中の場合では運転者への視界を低下させてしまう場合がある。特に、照明装置を読書灯又はマップ灯等として使用する際に煩わしさが著しくなる。また、天井の構成材料は、繊維系又はウレタン等の柔軟性を持つ材料であるため、天井自体を照明装置のハウジングとして利用することが困難である。そのため、天井とは別体のハウジングを天井に設置する必要があり、部品点数が多くなり、組付性及び意匠の自由度が低下してしまう。
【０００４】
また、上記特許文献２では、ドア開放時にドアトリムの光源により車室内側の全体を広角照明するようにしているので、この照明装置を単純にドア閉鎖時の照明として利用しても、車外から室内全体が見えてしまったり、光源からの光がシート着座者の視野に入ってしまったり等の問題がある。
【先行技術文献】
【特許文献】
【０００５】
【特許文献１】特開２００９−６８５３号公報
【特許文献２】特開２００５−２８０６５８号公報
【発明の概要】
【発明が解決しようとする課題】
【０００６】
本発明は、上記現状に鑑みてなされたものであり、ドア閉鎖時にシート着座者の手元等の必要な部分のみをスポット照明することができると共に、ドア開放時に車室内側を広角照明することができるドアトリム照明装置を提供することを目的とする。
【課題を解決するための手段】
【０００７】
本発明は、以下の通りである。
１．ドアトリムに光源を設けてなるドアトリム照明装置であって、
前記光源は、前記ドアトリムのシートの座面部と背もたれ部との境界（Ｓ）から２２０ｍｍ前方の位置と前記ドアトリムの後端の位置との間に配置され、且つ、前記ドアトリムの上端の位置と前記ドアトリムの前記境界（Ｓ）から１６５ｍｍ上方の位置との間に配置されていることを特徴とするドアトリム照明装置。
２．前記光源は、前記ドアトリムの前記境界（Ｓ）から１７０ｍｍ後方の位置より前方側に配置されている上記１．記載のドアトリム照明装置。
３．前記光源は、前記ドアトリムの前記境界（Ｓ）から３０５ｍｍ上方の位置より上方側に配置されている上記１．又は２．に記載のドアトリム照明装置。
４．ドア閉鎖時の前記光源の照射狙い位置（Ｐ１）は、その前後方向の位置が前記境界（Ｓ）から前方へ１１０〜６００ｍｍの範囲内にあり、その上下方向の位置が前記境界（Ｓ）から上方へ１６５〜５１５ｍｍの範囲内にあり、その左右方向の位置がシート座面の幅方向の中心（Ｃ）から左右方向に±１５０ｍｍの範囲内にあり、
ドア閉鎖時の光源の照射狙いエリア（Ａ１）は、前記光源の照射狙い位置（Ｐ１）を中心とする半径１００〜２００ｍｍの円状エリアである上記１．乃至３．のいずれか一項に記載のドアトリム照明装置。
５．ドア開放時の前記光源の照射狙い位置（Ｐ２）は、その前後方向の位置が前記境界（Ｓ）から前後方向に±２７５ｍｍの範囲内にあり、その上下方向の位置が前記境界（Ｓ）から上下方向に±３００ｍｍの範囲内にあり、その左右方向の位置が前記シートの側端面から左右方向に±３３０ｍｍの範囲内にあり、
ドア開放時の前記光源の照射狙いエリア（Ａ２）は、前記光源の照射狙い位置（Ｐ２）を中心とする半径２００〜４００ｍｍの円状エリアである上記１．乃至４．のいずれか一項に記載のドアトリム照明装置。
６．ドア閉鎖時の前記光源の照射狙いエリア（Ａ１）は、ドア開放時の前記光源の照射狙いエリア（Ａ２）より狭い上記１．乃至５．のいずれか一項に記載のドアトリム照明装置。
７．ドアの開閉操作に連動して前記光源からの光を絞る光絞り手段を備える上記１．乃至６．のいずれか一項に記載のドアトリム照明装置。
８．ドアの開閉操作に連動して前記ドアトリムに対する前記光源の照射方向を変更する照射方向変更手段を備える上記１．乃至７．のいずれか一項に記載のドアトリム照明装置。
９．前記ドアトリムの本体には、前記光源を設置するためのハウジング部が一体形成されている上記１．乃至８．のいずれか一項に記載のドアトリム照明装置。
【発明の効果】
【０００８】
本発明のドアトリム照明装置によると、光源が、ドアトリムの境界（Ｓ）から２２０ｍｍ前方の位置とドアトリムの後端の位置との間に配置されているので、ドア閉鎖時に光源からの光がシート着座者の視野に入り難い。また、光源が、ドアトリムの上端の位置とドアトリムの境界（Ｓ）から１６５ｍｍ上方の位置との間に配置されているので、光源がドアトリムのアームレストの上面より上方側に配置されることとなり、ドア閉鎖時にシート着座者の手元等の必要な部分を効果的にスポット照明することができる。したがって、ドア閉鎖時に、照明装置を使用した場合であっても、車室内全体が明るくなることがなく、車室内のプライバシーが維持することができるとともに、夜間走行中の場合では運転者への視界を低下させてしまうことを抑制することができる。さらに、上述のように光源が特定位置に配置されているので、ドア開放時に車室内側を広角照明することができる。
また、前記光源が、前記ドアトリムの前記境界（Ｓ）から１７０ｍｍ後方の位置より前方側に配置されている場合は、光源がドアトリムのヘッドレストの前端面より前方側に配置されることとなり、ドアトリムの意匠形状が変化しても、光源からの光がシート着座者やシートで遮られてしまうことを抑制できる。
また、前記光源が、前記ドアトリムの前記境界（Ｓ）から３０５ｍｍ上方の位置より上方側に配置されている場合は、光源の照射方向を水平方向より下向きとすることができ、ドア閉鎖時により効果的にスポット照明することができる。
また、ドア閉鎖時の前記光源の照射狙い位置（Ｐ１）が、その前後方向の位置が前記境界（Ｓ）から前方へ１１０〜６００ｍｍの範囲内にあり、その上下方向の位置が前記境界（Ｓ）から上方へ１６５〜５１５ｍｍの範囲内にあり、その左右方向の位置がシート座面の幅方向の中心（Ｃ）から左右方向に±１５０ｍｍの範囲内にあり、ドア閉鎖時の前記光源の照射狙いエリア（Ａ１）が、前記光源の照射狙い位置（Ｐ１）を中心とする半径１００〜２００ｍｍの円状エリアである場合は、ドア閉鎖時にシート着座者の手元をより効果的にスポット照明することができる。
また、ドア開放時の前記光源の照射狙い位置（Ｐ２）が、その前後方向の位置が前記境界（Ｓ）から前後方向に±２７５ｍｍの範囲内にあり、その上下方向の位置が前記境界（Ｓ）から上下方向に±３００ｍｍの範囲内にあり、その左右方向の位置が前記シートの側端面から左右方向に±３３０ｍｍの範囲内にあり、ドア開放時の前記光源の照射狙いエリア（Ａ２）が、前記光源の照射狙い位置（Ｐ２）を中心とする半径２００〜４００ｍｍの円状エリアである場合は、ドア開放時にシート側面や乗降者の足元をより効果的に広角照明することができる。
また、ドア閉鎖時の前記光源の照射狙いエリア（Ａ１）が、ドア開放時の前記光源の照射狙いエリア（Ａ２）より狭い場合は、スポット照明と広角照明とをより効果的に両立させることができる。
また、ドアの開閉操作に連動して前記光源からの光を絞る光絞り手段を備える場合は、絞り手段によりドア閉鎖時の光源からの光が絞られるため、より効果的にスポット照明することができる。
また、ドアの開閉操作に連動して前記ドアトリムに対する前記光源の照射方向を変更する照射方向変更手段を備える場合は、照射方向変更手段によりドア閉鎖時の光源の照射方向とドア開放時の光源の照射方向とが変更される。これにより、スポット照明及び広角照明のそれぞれにより適した光源の照射方向を実現することができ、スポット照明と広角照明とをより効果的に両立させることができる。
さらに、前記ドアトリムの本体に、前記光源を設置するためのハウジング部が一体形成されている場合は、ドアトリムの本体とは別体のハウジングを用意する必要がないため、部品点数を低減し、組付性及び意匠の自由度を向上させることができる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係るドアトリム照明装置を備えるドアトリムを示す斜視図である。
【図２】上記ドアトリム照明装置の縦断面図である。
【図３】光源の設置形態を説明するための車両室内（ドア閉鎖時のスポット照明の状態を示す。）の平面図である。
【図４】光源の設置形態を説明するための車両室内（ドア開放時の広角照明の状態を示す。）の平面図である。
【図５】光源の設置形態を説明するための車両室内（ドア閉鎖時のスポット照明の状態を示す。）の側面図である。
【図６】光源の設置形態を説明するための車両室内（ドア閉鎖時のスポット照明の状態を示す。）の正面図である。
【図７】ドア閉鎖時のスポット照明の状態を示す車両室内の斜視図である。
【図８】ドア開放時の広角照明の状態を示す車両室内の斜視図である。
【図９】その他の形態のドアトリム照明装置を示す斜視図である。
【図１０】上記ドアトリム照明装置の縦断面図である。
【図１１】更にその他の形態のドアトリム照明装置を示す縦断面図である。
【図１２】更にその他の形態のドアトリム照明装置を示す縦断面図である。
【図１３】更にその他の形態のドアトリム照明装置を示す縦断面図である。
【図１４】更にその他の形態のドアトリム照明装置を示す縦断面図である。
【発明を実施するための形態】
【００１０】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
１．ドアトリム照明装置
本実施形態１．に係るドアトリム照明装置は、ドアトリムに光源を設けてなるドアトリム照明装置であって、光源をドアトリムの特定位置に配置することを特徴とする。
【００１２】
シート着座者の視野角は、通常、約１１０度であり、光源からの光がシート着座者の視野に入り難いといった観点から、上記光源は、ドアトリムのシートの座面部と背もたれ部との境界（Ｓ）から２２０ｍｍ（好ましくは１６０ｍｍ）前方の位置とドアトリムの後端の位置との間の光源配置可能エリア（ａ）に配置されている（例えば、図３及び図５参照）。上記光源は、例えば、ドアトリムの境界（Ｓ）から１７０ｍｍ後方の位置より前方側に配置されていることができる（例えば、図３及び図５参照）。すなわち、上記光源は、例えば、ドアトリムの境界（Ｓ）から１６０ｍｍ前方の位置とドアトリムの境界（Ｓ）から１７０ｍｍ後方の位置との間の光源配置適正エリア（ａ’）に配置されていることができる（例えば、図３及び図５参照）。
【００１３】
ドア閉鎖時にシート着座者の手元等をスポット照明するといった観点から、上記光源は、ドアトリムの上端の位置とドアトリムの境界（Ｓ）から１６５ｍｍ（好ましくは２２５ｍｍ）上方の位置との間の光源配置可能エリア（ｂ）に配置されている（例えば、図５及び図６参照）。上記光源は、例えば、ドアトリムの境界（Ｓ）から３０５ｍｍ上方の位置より上方側に配置されていることができる（例えば、図５及び図６参照）。すなわち、上記光源は、例えば、ドアトリムの上端の位置とドアトリムの境界（Ｓ）から３０５ｍｍ上方の位置との間の光源配置適正エリア（ｂ’）に配置されていることができる（例えば、図５及び図６参照）。
【００１４】
なお、上記シート（特に、前シート）は、車両の前後方向に移動自在に支持されていることがある。この場合、後方端に移動させた状態のシートの境界（Ｓ）を基準として、ドアトリムに対する光源の設置位置等が決定されるものとする。また、上記境界（Ｓ）は、例えば、シートの幅方向の中心の点であることができる。
【００１５】
本実施形態１．のドアトリム照明装置としては、例えば、ドア閉鎖時の光源の照射狙い位置（Ｐ１）は、その前後方向の位置が境界（Ｓ）から前方へ１１０〜６００ｍｍ（好ましくは２２０〜６００ｍｍ、特に２４０〜４００ｍｍ）の範囲内にあり、その上下方向の位置が境界（Ｓ）から上方へ１６５〜５１５ｍｍ（好ましくは２２５〜５１５ｍｍ、特に３０５〜３８５ｍｍ）の範囲内にあり、その左右方向の位置がシート座面の幅方向の中心（Ｃ）から左右方向に±１５０ｍｍの範囲内にあり、ドア閉鎖時の光源の照射狙いエリア（Ａ１）は、光源の照射狙い位置（Ｐ１）を中心とする半径１００〜２００ｍｍ（好ましくは１５０〜２００ｍｍ）の円状エリアである形態を挙げることができる（例えば、図３〜図６参照）。
【００１６】
上述の形態では、上記照射狙いエリア（Ａ１）を構成する円状エリアは、例えば、光源の光軸（Ｑ１）と直交していることができる。この光軸（Ｑ１）とは、光源と照射狙い位置（Ｐ１）とを結ぶ直線を意図する。
【００１７】
本実施形態１．のドアトリム照明装置としては、例えば、ドア開放時の前記光源の照射狙い位置（Ｐ２）は、その前後方向の位置が境界（Ｓ）から前後方向に±２７５ｍｍ（好ましくは±１２５ｍｍ）の範囲内にあり、その上下方向の位置が境界（Ｓ）から上下方向に±３００ｍｍの範囲内にあり、その左右方向の位置がシートの側端面から左右方向に±３３０ｍｍ（好ましくは±２００ｍｍ、特に±１５０ｍｍ）の範囲内にあり、ドア開放時の光源の照射狙いエリア（Ａ２）は、光源の照射狙い位置（Ｐ２）を中心とする半径２００〜４００ｍｍ（好ましくは２００〜３００ｍｍ）の円状エリアである形態を挙げることができる（例えば、図３〜図６参照）。なお、ドア開放時のドア開き角度（θ）は、例えば、５０〜９０度であることができる（例えば、図４参照）。
【００１８】
上述の形態では、上記照射狙いエリア（Ａ２）を構成する円状エリアは、例えば、光源の光軸（Ｑ２）と直交していることができる。この光軸（Ｑ２）とは、光源と照射狙い位置（Ｐ２）とを結ぶ直線を意図する。また、この光軸（Ｑ２）は、通常、上記光軸（Ｑ１）より長い。また、上記照射狙いエリア（Ａ２）は、例えば、シート座面の幅方向の中心（Ｃ）から１５０ｍｍ側方の位置とドアトリムの室外側面から３３０ｍｍ外方の位置との間に配置されていることができる。
【００１９】
本実施形態１．のドアトリム照明装置としては、例えば、ドア閉鎖時の光源の照射狙い範囲（Ａ１）は、ドア開放時の光源の照射狙い範囲（Ａ２）より狭い形態を挙げることができる。この照射狙い範囲（Ａ１）と照射狙い範囲（Ａ２）との比（Ａ１／Ａ２）は、例えば、０．２５〜０．７５であることができる。また、この照射狙い範囲（Ａ１）と照射狙い範囲（Ａ２）とは、例えば、平面から見て重ならないことができる。これにより、スポット照明と広角照明とをより効果的に両立させることができる。
【００２０】
本実施形態１．のドアトリム照明装置としては、例えば、ドアの開閉操作に連動して光源からの光を絞る光絞り手段を備える形態を挙げることができる。この絞り手段としては、例えば、（１）遮蔽板を移動させる形態（例えば、図１０参照）、（２）ハウジング部を移動させる形態（例えば、図１１参照）、（３）レンズを移動させる形態（例えば、図１２参照）、（４）光源を移動させる形態（例えば、図１３参照）等を挙げることができる。
【００２１】
本実施形態１．のドアトリム照明装置としては、例えば、ドアの開閉操作に連動してドアトリムに対する光源の照射方向を変更する照射方向変更手段を備える形態を挙げることができる。この照射方向変更手段としては、例えば、（１）リフレクタを移動させる形態（例えば、図１４参照）、（２）ハウジング部を移動させる形態、（３）レンズを移動させる形態、（４）光源を移動させる形態等を挙げることができる。
【００２２】
本実施形態１．のドアトリム照明装置としては、例えば、上記ドアトリムの本体に、光源を設置するためのハウジング部が一体形成されていることができる。このハウジング部は、例えば、筒状に形成されており、その内周面に光源からの光を反射する反射部が形成されていることができる。これにより、より効果的にスポット照明及び広角照明することができる。
【００２３】
なお、上記「前後方向」とは車両の前後方向を意図し、「前方」又は「後方」とは車両の前後方向の前方又は後方を意図する。また、上記「上下方向」とは車両の高さ方向を意図し、「上方」又は「下方」とは車両の高さ方向の上方又は下方を意図する。さらに、上記「左右方向」とは車両の幅方向を意図し、「左方」又は「右方」とは車両の幅方向の左方又は右方を意図する。さらに、上記「シートの側端面」とは、ドア閉鎖時にドアトリムと対向するシートの側端面を意図する。
【実施例】
【００２４】
以下、図面を用いて実施例１及び２により本発明を具体的に説明する。なお、本実施例１及び２では、本発明に係る「ドアトリム照明装置」を後シートのドアトリムに適用した形態を例示する。
【００２５】
＜実施例１＞
（１）ドアトリム照明装置の構成
本実施例１に係るドアトリム照明装置１は、図１に示すように、ドアトリム２の後方側で且つ上方側に設置されている。このドアトリム照明装置１は、図２に示すように、樹脂製のドアトリム本体３に一体形成された筒状のハウジング部４に光源５を有する光源ユニット６を装着してなされている。このハウジング部４には、光源５からの光を屈折させて集束させるレンズ７が装着されている。また、ハウジング部４の内周面には、光源５からの光を反射する反射部８が設けられている。
【００２６】
上記光源５は、図３〜図６に示すように、ドアトリム２のシート９の座面部９ａと背もたれ部９ｂとの境界Ｓから後方へ約３５ｍｍであり、ドアトリム２の境界Ｓから上方へ約５００ｍｍである位置に配置されている。
【００２７】
また、ドア閉鎖時の光源５の照射狙い位置Ｐ１は、その前後方向の位置が境界Ｓから前方へ約２６０ｍｍとされ、その上下方向の位置が境界Ｓから上方へ約３０５ｍｍとされ、その左右方向の位置がシート９の幅方向の中心Ｃとされている。そして、ドア閉鎖時の光源５の照射狙いエリアＡ１は、光源５の照射狙い位置Ｐ１を中心とする半径約１５０ｍｍの円状エリアとされている。この照射狙いエリアＡ１を構成する円状エリアは、光源５の光軸Ｑ１と直交している。なお、図３中に仮想線ハッチングで示すエリアは、ドア閉鎖時に照明可能なエリアである。
【００２８】
また、ドア開放時の光源５の照射狙い位置Ｐ２は、その前後方向の位置が境界Ｓとされ、その上下方向の位置が境界Ｓから上方へ約４０ｍｍとされ、その左右方向の位置がシート９の側端面９ｃから外側方へ約１１５ｍｍとされている。そして、ドア開放時の光源５の照射狙いエリアＡ２は、光源５の照射狙い位置Ｐ２を中心とする半径約２７５ｍｍの円状エリアとされている。この照射狙いエリアＡ２を構成する円状エリアは、光源５の光軸Ｑ２と直交している。また、上記照射狙い範囲Ａ１と照射狙い範囲Ａ２との比（Ａ１／Ａ２）は約０．３とされている。
【００２９】
なお、本実施例１では、上記シート９は、平面から見た前後方向の長さが約９６０ｍｍとされ、その左右幅が約６００ｍｍとされ、そのシート座面（シートクッション）の前後方向の長さが約５００ｍｍとされている。また、ドア閉鎖時のドアトリム２の室内側面とシート９の側端面９ａとの間隔は約１５ｍｍとされている。
【００３０】
（２）ドアトリム照明装置の作用
次に、上記構成のドアトリム照明装置１の作用について説明する。
ドア閉鎖時にドアトリム照明装置１を作動させると、図３及び図７に示すように、光源５からの光は、ハウジング部４の反射部８で反射されてからレンズ７で集束され（図２参照）、照射狙い位置Ｐ１を中心とする照射狙いエリアＡ１を照射する。これにより、シート着座者の手元がスポット照明され、シート着座者は読書をしたり地図等を見たりすることができる。
【００３１】
一方、ドア開放時にドアトリム照明装置１を作動させると、図４及び図８に示すように、光源５からの光は、ハウジング部４の反射部８で反射されてからレンズ７で集束され（図２参照）、照射狙い位置Ｐ２を中心とする照射狙いエリアＡ２を照射する。これにより、シート側面及び乗降者の足元が広角照明され、乗降者の乗降が補助される。
【００３２】
（３）実施例の効果
本実施例１のドアトリム照明装置１によると、光源５を、ドアトリム２の境界Ｓから１６０ｍｍ前方の位置とドアトリム２の後端の位置との間の光源配置可能エリアａ（図５等参照）に配置したので、ドア閉鎖時に光源５からの光がシート着座者の視野に入り難い。また、光源５を、ドアトリム２の上端の位置とドアトリム２の境界Ｓから１６５ｍｍ上方の位置との間の光源配置可能エリアｂ（図５等参照）に配置したので、光源５がドアトリム２のアームレスト２ａ（図１参照）の上面より上方側に配置されることとなり、ドア閉鎖時にシート着座者の手元等の必要な部分をスポット照明することができる。したがって、ドア閉鎖時に、照明装置を使用した場合であっても、車室内全体が明るくなることがなく、車室内のプライバシーが維持することができるとともに、夜間走行中の場合では運転者への視界を低下させてしまうことを抑制することができる。さらに、上述のように光源５が特定位置に配置されているので、ドア開放時に車室内側を広角照明することができる。
【００３３】
また、本実施例１では、光源５を、ドアトリム２の境界Ｓから１７０ｍｍ後方の位置より前方側となる光源配置適正エリアａ’（図５等参照）に配置したので、光源５がドアトリム２のヘッドレスト１３の前端面１３ａより前方側に配置されることとなり、ドアトリム２の意匠形状が変化しても、光源５からの光がシート着座者やシート９で遮られてしまうことを抑制できる。
【００３４】
また、本実施例１では、光源５を、ドアトリム２の境界Ｓから３０５ｍｍ上方の位置より上方側となる光源配置適正エリアｂ’（図５等参照）に配置したので、光源５の照射方向（即ち、光軸Ｑ１）を水平方向より下向きとすることができ、ドア閉鎖時により効果的にスポット照明することができる。
【００３５】
また、本実施例１では、ドア閉鎖時の光源５の照射狙い位置Ｐ１として、その前後方向の位置を境界Ｓから前方へ２６０ｍｍとし、その上下方向の位置を境界Ｓから上方へ３０５ｍｍとし、その左右方向の位置をシートの幅方向の中心とし、ドア閉鎖時の光源５の照射狙いエリアＡ１を、光源５の照射狙い位置Ｐ１を中心とする半径１５０ｍｍの円状エリアとしたので、ドア閉鎖時にシート着座者の手元をより効果的にスポット照明することができる。
【００３６】
また、本実施例１では、ドア開放時の光源５の照射狙い位置Ｐ２として、その前後方向の位置を境界Ｓとし、その上下方向の位置を境界Ｓから上方へ４０ｍｍとし、その左右方向の位置をシート９の側端面９ａから外側方へ１１５ｍｍとし、ドア開放時の光源５の照射狙いエリアＡ２を、光源５の照射狙い位置Ｐ２を中心とする半径２７５ｍｍの円状エリアとしたので、ドア開放時にシート側面や乗降者の足元をより効果的に広角照明することができる。
【００３７】
また、本実施例１では、ドア閉鎖時の光源の照射狙いエリアＡ１を、ドア開放時の光源の照射狙いエリアＡ２より狭くしたので、スポット照明と広角照明とをより効果的に両立させることができる。
【００３８】
さらに、本実施例１では、ドアトリム本体３に、光源５を設置するためのハウジング部４を一体形成したので、ドアトリム本体３とは別体のハウジングを用意する必要がなく、部品点数を低減し、組付性及び意匠の自由度を向上させることができる。
【００３９】
＜実施例２＞
次に、実施例２に係るドアトリム照明装置について説明する。なお、本実施例２に係るドアトリム照明装置において、上記実施例１に係るドアトリム照明装置１と略同じ構成部位には同符合を付けて詳説を省略し、以下に両者の相違点について詳説する。
【００４０】
（１）ドアトリム照明装置の構成
本実施例２に係るドアトリム照明装置１’は、図９及び図１０に示すように、光源５からの光を絞るリング板状の遮蔽板１０を備えている。この遮蔽板１０は、その支持部１０ａがハウジング部４に支持された駆動モータ１１の駆動軸１１ａに連結され、ハウジング部４に対して揺動可能とされている。この駆動モータ１１は、ドアの開閉操作に連動して正逆方向に駆動されるようになっている。そして、この駆動モータ１１の駆動によって、遮蔽板１０は、ドア閉鎖時にハウジング部４の内周側に入り込む絞り位置１２ａ（図９及び図１０中に実線で示す。）に位置される一方、ドア閉鎖時にハウジング部４の外周側に待避する待避位置１２ｂ（図９中に破線で示す。）に位置されるようになっている。
【００４１】
（２）ドアトリム照明装置の作用
次に、上記構成のドアトリム照明装置１’の作用について説明する。
ドア閉鎖時には、図９及び図１０に実線で示すように、駆動モータ１１の作動により遮蔽板１０は絞り位置１２ａに位置している。この状態より、ドアトリム照明装置１’を作動させると、光源５からの光は、ハウジング部４の反射部８で反射されつつ遮蔽板１０で絞られてからレンズ７で集束され、シート着座者の手元をスポット照明する。
【００４２】
一方、ドア開放時には、図９に破線で示すように、駆動モータ１１の作動により遮蔽板１０は待避位置１２ｂに位置している。この状態より、ドアトリム照明装置１’を作動させると、光源５からの光は、ハウジング部４の反射部８で反射されてからレンズ７で集束され、シート側面及び乗降者の足元を広角照明する。
【００４３】
（３）実施例の効果
本実施例２のドアトリム照明装置１’によると、上記実施例１のドアトリム照明装置１と略同様の作用・効果を奏することに加えて、ドアの開閉操作に連動して光源５からの光を絞る遮蔽板１０を備えたので、遮蔽板１０によりドア閉鎖時の光源５からの光が絞られ、より効果的にスポット照明することができる。
【００４４】
尚、本発明においては、上記実施例１及び２に限られず、目的、用途に応じて本発明の範囲内で種々変更した実施例とすることができる。即ち、上記実施例１及び２では、ドアトリム照明装置１，１’を後シート９に対応するドアトリム２に適用した形態を例示したが、これに限定されず、例えば、前シートに対応するドアトリムに適用したドアトリム照明装置としてもよい。
【００４５】
上記実施例２では、光絞り手段として、ドアの開閉操作に連動して遮蔽板１０を移動させる形態を例示したが、これに限定されず、例えば、図１１に示すように、ドアの開閉操作に連動してハウジング部４’を拡縮可能に設け、ドア閉鎖時にハウジング部４’を縮径して反射部８で反射される光を絞ってスポット照明する一方、ドア開放時にハウジング部４’を拡径して反射部８で反射される光を絞らず広角照明するようにしてもよい。
【００４６】
また、例えば、図１２に示すように、スポット照明用のレンズ部１５ａと広角照明用のレンズ部１５ｂとを有するレンズ１５を備え、ドアの開閉操作に連動してハウジング部４に対してレンズ１５を移動可能に設け、ドア閉鎖時にレンズ部１５ａを介してスポット照明する一方、ドア開放時にレンズ部１５ｂを介して広角照明するようにしてもよい。
【００４７】
また、例えば、図１３に示すように、光源５’を照射方向に沿って移動可能に設け、ドア閉鎖時に光源５’を前端位置１７ａ（図中実線で示す）に位置させてスポット照明する一方、ドア閉鎖時に光源５’を後端位置１７ｂ（図中仮想線で示す）に位置させて広角照明するようにしてもよい。
【００４８】
また、上記実施例１及び２では、ドア閉鎖時及びドア開放時の光源５のドアトリム２に対する照射方向（即ち、光軸Ｑ１，Ｑ２）を一致させる形態を例示したが、これに限定されず、ドア閉鎖時及びドア開放時の光源５のドアトリム２に対する照射方向を異ならせるようにしてもよい。この場合、照射方向変更手段としては、例えば、図１４に示すように、反射部１９ａを有するリフレクタ１９を、駆動モータ２０の作動により、ドア閉鎖時にハウジング部４の内周側に入り込む変更位置２１ａに位置させて照射方向Ｑ１’でスポット照明させる一方、ドア閉鎖時にハウジング部４の外周側に待避する待避位置（図示省略）に位置させて照射方向Ｑ１’とは異なる照射方向Ｑ２’で広角照明させる形態を挙げることができる。
【００４９】
さらに、上記実施例１及び２において、上記光源の種類、大きさ、個数等は特に問わない。上記光源としては、例えば、発光ダイオード、白熱電球等のバルブ、蛍光灯、エレクトロルミネセンスライト等を挙げることができる。
【００５０】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにける開示事項に限定することを意図するものではなく、むしろ、本発明は添付の特許請求の範囲内における、機能的に同等の構造、方法、使用の全てに及ぶものとする。
【００５１】
本発明は上記で詳述した実施形態に限定されず、本発明の請求項に示した範囲で様々な変形または変更が可能である。
【産業上の利用可能性】
【００５２】
乗用車、バス、トラック等の他、列車、汽車等の鉄道車両、建設車両、農業車両、産業車両などのドアトリム照明に関する技術として広く利用される。
【符号の説明】
【００５３】
１，１’；ドアトリム照明装置、２；ドアトリム、３；ドアトリム本体、４，４’；ハウジング部、５，５’；光源、９；シート、９ａ；座面部、９ｂ；背もたれ部、９ｃ；側端面、１０；遮蔽板、１５；レンズ、１９；リフレクタ、Ｐ１，Ｐ２；照射狙い位置、Ａ１，Ａ２；照射狙いエリア、Ｑ１，Ｑ２；光軸、Ｓ；境界。
【図１】
2010241274.tif 000003
【図２】
2010241274.tif 000004
【図３】
2010241274.tif 000005
【図４】
2010241274.tif 000006
【図５】
2010241274.tif 000007
【図６】
2010241274.tif 000008
【図７】
2010241274.tif 000009
【図８】
2010241274.tif 000010
【図９】
2010241274.tif 000011
【図１０】
2010241274.tif 000012
【図１１】
2010241274.tif 000013
【図１２】
2010241274.tif 000014
【図１３】
2010241274.tif 000015
【図１４】
2010241274.tif 000016